(57)【要約】  【課題】  テレビ電話システムを実現することが可能な受信装置システムを提供する。  【解決手段】  映像及び音声の取得を行なうデジタルカメラ１が、取得した映像及び音声を接続されている通信カード３を介して外部の装置へ送信する。デジタルカメラ１は、チューナを介して取得する映像及び音声を出力する表示部２５及びスピーカ２４，２４を有する液晶テレビ２と接続されており、通信カード３を介して外部から受信した映像及び音声を液晶テレビ２へ転送する。液晶テレビ２は、デジタルカメラ１から取得した映像を表示部２５に表示させ、デジタルカメラ１から取得した音声をスピーカ２４，２４で音声出力させる。【選択図】      図１
2005236898.tif 000002
【特許請求の範囲】
【請求項１】
放送波の受信部から映像及び音声をそれぞれ映像部及び音声部へ出力するように構成されており、装置の装着を行なう第１装着部及び第２装着部を有する受信装置と、前記第１装着部への直接的な装着が可能に構成されており、撮像及び集音した映像及び音声を記録部に記録する撮像装置と、前記第２装着部への直接的な装着が可能に構成されており、映像及び音声を送受信する通信装置とを備えた受信装置システムであって、
前記受信装置は、
前記第１装着部への前記撮像装置の装着及び前記第２装着部への前記通信装置の装着の検知をそれぞれ行なう検知手段と、
該検知手段の検知結果に応じて前記撮像装置からの映像及び音声、前記通信装置からの映像及び音声、又は前記受信部からの映像及び音声の少なくとも１つを選択する選択手段と、
該選択手段が選択した映像及び音声を前記映像部及び音声部へ出力する出力手段と
を備えることを特徴とする受信装置システム。
【請求項２】
前記受信装置は、
前記検知手段が前記撮像装置及び前記通信装置の装着を検知した場合に、前記通信装置が受信した映像及び音声を前記撮像装置へ送出する送出手段を備え、
前記撮像装置は、
前記受信装置が送出した映像及び音声を前記記録部に記録させる記録制御手段を備えることを特徴とする請求項１に記載の受信装置システム。
【請求項３】
放送波の受信部から映像及び音声をそれぞれ映像部及び音声部へ出力するように構成されており、装置の装着部を有する受信装置と、前記装着部への直接的な装着が可能に構成されており、撮像及び集音した映像及び音声を記録する記録部並びに装置の装置装着部を有する撮像装置と、前記装置装着部への直接的な装着が可能に構成されており、映像及び音声を送受信する通信装置とを備えた受信装置システムであって、
前記撮像装置は、
前記装置装着部への前記通信装置の装着を検知する装置検知手段と、
該装置検知手段が前記装着を検知した場合、検知信号を前記受信装置の装着部へ装着されたときに前記受信装置へ送出する第１送出手段と、
該第１送出手段が前記検知信号を送出した場合に、前記通信装置が受信する映像及び音声を前記受信装置へ送出可能にする第２送出手段と
を備え、
前記受信装置は、
前記装着部への前記撮像装置の装着及び前記検知信号の取得の検知をそれぞれ行なう検知手段と、
該検知手段の検知結果に応じて前記撮像装置からの映像及び音声、前記通信装置からの映像及び音声、又は前記受信部からの映像及び音声の少なくとも１つを選択する選択手段と、
該選択手段が選択した映像及び音声を前記映像部及び音声部へ出力する出力手段と
を備えることを特徴とする受信装置システム。
【請求項４】
前記撮像装置は、前記装置検知手段が前記通信装置の装着を検知した場合に、前記通信装置が受信した映像及び音声を前記記録部に記録させる記録制御手段を備えることを特徴とする請求項３に記載の受信装置システム。
【請求項５】
前記選択手段は、前記撮像装置からの映像及び音声として、前記撮像装置が撮像及び集音した映像及び音声、又は前記撮像装置の記録部に記録させてある映像及び音声を選択する手段を備えることを特徴とする請求項１乃至４のいずれかひとつに記載の受信装置システム。
【発明の詳細な説明】
【技術分野】
【０００１】
本発明は、受信装置、撮像装置及び通信装置を備え、それぞれが取得する映像及び音声を適宜映像部及び音声部によって出力させることが可能な受信装置システムに関するものである。
【背景技術】
【０００２】
近年、画像処理技術及びデータ伝送技術の発達に伴い、電話回線網を介して音声だけでなく映像も同時に送受信するテレビ電話システムが提供されている（例えば、特許文献１参照）。このテレビ電話システムは、マイクと、電話回線網を介したデータ通信機能とを備えた電話機に、撮像装置、映像を表示する表示装置及び音声を出力するスピーカを搭載した装置において利用される。具体的には、電話機に備えるマイクで集音した音声と、撮像装置で撮像した映像とを、電話回線網を介して接続される所望の通信相手である電話機へ送信すると同時に、電話回線網を介して通信相手の電話機から映像及び音声を受信し、受信した映像を表示装置に表示させ、受信した音声をスピーカにより出力させることによりテレビ電話システムが実現される。
【特許文献１】特開平６−３１９１３８号公報
【発明の開示】
【発明が解決しようとする課題】
【０００３】
上述したテレビ電話システムを利用する電話機においては、電話回線網を介して受信した通話相手からの映像と、自身の装置が備える撮像装置で撮像した自身の映像とを１つの表示装置に表示させるように構成されている場合が多い。例えば、表示装置の表示領域を分割して、一方の領域には外部から受信した通話相手の映像を表示させ、他方の領域には自身の映像を表示させるように構成されている場合があり、このような表示装置においては、それぞれの映像における表示領域が制限されるため、表示された映像が見難い。また、受信した通話相手の映像と自身の映像との一部分を互いに上書きするように合成して得られた映像を表示させるように構成することもでき、このような表示装置においては、互いに上書きすることによって、それぞれの映像に欠如領域が生じてしまうという問題がある。
【０００４】
また、上述したテレビ電話システムは、該システムを利用して行なわれた会話の内容を記録するように構成されていない場合が多く、テレビ電話に参加できなかった場合、及び後日に会話の内容を確認したい場合に、テレビ電話で行なわれた会話の内容を確認することができないという問題がある。
【０００５】
本発明は斯かる事情に鑑みてなされたものであり、受信装置、撮像装置及び通信装置がそれぞれ取得する映像及び音声を適宜映像部及び音声部によって出力させることが可能な受信装置システムを提供することを目的とする。また、受信装置、撮像装置及び通信装置がそれぞれ取得する映像及び音声を撮像装置の記録部に記録させることが可能な受信装置システムを提供することを他の目的とする。
【課題を解決するための手段】
【０００６】
本発明に係る受信装置システムは、放送波の受信部から映像及び音声をそれぞれ映像部及び音声部へ出力するように構成されており、装置の装着を行なう第１装着部及び第２装着部を有する受信装置と、前記第１装着部への直接的な装着が可能に構成されており、撮像及び集音した映像及び音声を記録部に記録する撮像装置と、前記第２装着部への直接的な装着が可能に構成されており、映像及び音声を送受信する通信装置とを備えた受信装置システムであって、前記受信装置は、前記第１装着部への前記撮像装置の装着及び前記第２装着部への前記通信装置の装着の検知をそれぞれ行なう検知手段と、該検知手段の検知結果に応じて前記撮像装置からの映像及び音声、前記通信装置からの映像及び音声、又は前記受信部からの映像及び音声の少なくとも１つを選択する選択手段と、該選択手段が選択した映像及び音声を前記映像部及び音声部へ出力する出力手段とを備えることを特徴とする。
【０００７】
本発明による場合は、放送波の受信部から映像及び音声を受信する受信装置が、外部装置の装着を行なう第１装着部及び第２装着部を有し、第１装着部への撮像装置の装着及び第２装着部への通信装置の装着の検知を検知手段によりそれぞれ行ない、該検知手段の検知結果に応じて、前記撮像装置から取得する映像及び音声、前記通信装置が外部の装置から受信する映像及び音声、又は前記受信部が放送波から取得する映像及び音声の少なくとも１つを選択手段によって選択し、選択した映像及び音声を出力手段によって映像部及び音声部へ出力することにより、受信装置及び該受信装置に装着された各装置がそれぞれ取得する映像及び音声を必要に応じて映像部及び音声部によって出力させることが可能となる。
【０００８】
本発明に係る受信装置システムは、前記受信装置は、前記検知手段が前記撮像装置及び前記通信装置の装着を検知した場合に、前記通信装置が受信した映像及び音声を前記撮像装置へ送出する送出手段を備え、前記撮像装置は、前記受信装置が送出した映像及び音声を前記記録部に記録させる記録制御手段を備えることを特徴とする。
【０００９】
本発明による場合は、受信装置が、第１装着部への撮像装置の装着及び第２装着部への通信装置の装着を検知した場合に、通信装置が外部の装置から受信した映像及び音声を送出手段によって撮像装置へ送出し、送出された映像及び音声を取得した撮像装置が記録制御手段によって記録部に記録させることにより、外部の装置から受信した映像及び音声を撮像装置で録画及び録音することが可能となる。
【００１０】
本発明に係る受信装置システムは、放送波の受信部から映像及び音声をそれぞれ映像部及び音声部へ出力するように構成されており、装置の装着部を有する受信装置と、前記装着部への直接的な装着が可能に構成されており、撮像及び集音した映像及び音声を記録する記録部並びに装置の装置装着部を有する撮像装置と、前記装置装着部への直接的な装着が可能に構成されており、映像及び音声を送受信する通信装置とを備えた受信装置システムであって、前記撮像装置は、前記装置装着部への前記通信装置の装着を検知する装置検知手段と、該装置検知手段が前記装着を検知した場合、検知信号を前記受信装置の装着部へ装着されたときに前記受信装置へ送出する第１送出手段と、該第１送出手段が前記検知信号を送出した場合に、前記通信装置が受信する映像及び音声を前記受信装置へ送出可能にする第２送出手段とを備え、前記受信装置は、前記装着部への前記撮像装置の装着及び前記検知信号の取得の検知をそれぞれ行なう検知手段と、該検知手段の検知結果に応じて前記撮像装置からの映像及び音声、前記通信装置からの映像及び音声、又は前記受信部からの映像及び音声の少なくとも１つを選択する選択手段と、該選択手段が選択した映像及び音声を前記映像部及び音声部へ出力する出力手段とを備えることを特徴とする。
【００１１】
本発明による場合は、放送波の受信部から映像及び音声を受信する受信装置が、外部装置の装着を行なう装着部を有し、該装着部への直接的な装着が可能な撮像装置が、別の外部装置の装着を行なう装置装着部を有する。撮像装置は、装置装着部への通信装置の装着を装置検知手段によって検知し、前記通信装置の装着を検出した場合、受信装置の装着部へ装着された際に検出信号を第１送出手段によって受信装置へ送出する。また、撮像装置は、前記検出信号を受信装置へ送出した場合、通信装置が外部の装置から受信する映像及び音声を第２送出手段によって受信装置へ送出することが可能となる。
【００１２】
受信装置は、装着部への撮像装置の装着及び撮像装置からの前記検知信号の取得の検知を検知手段によってそれぞれ行ない、該検知手段の検知結果に応じて、前記撮像装置から取得する映像及び音声、前記通信装置が外部の装置から受信する映像及び音声、又は前記受信部が放送波から取得する映像及び音声の少なくとも１つを選択手段によって選択し、選択した映像及び音声を出力手段によって映像部及び音声部へ出力することにより、システムを構成する受信装置、撮像装置及び通信装置のそれぞれが取得する映像及び音声を必要に応じて映像部及び音声部によって出力させることが可能となる。
【００１３】
本発明に係る受信装置システムは、前記撮像装置は、前記装置検知手段が前記通信装置の装着を検知した場合に、前記通信装置が受信した映像及び音声を前記記録部に記録させる記録制御手段を備えることを特徴とする。
【００１４】
本発明による場合は、撮像装置が、装置装着部への通信装置の装着を検知した場合に、通信装置が外部の装置から受信した映像及び音声を取得し、記録制御手段によって記録部に記録させることにより、外部の装置から受信した映像及び音声を撮像装置で録画及び録音することが可能となる。
【００１５】
本発明に係る受信装置システムは、前記選択手段は、前記撮像装置からの映像及び音声として、前記撮像装置が撮像及び集音した映像及び音声、又は前記撮像装置の記録部に記録させてある映像及び音声を選択する手段を備えることを特徴とする。
【００１６】
本発明による場合は、映像部及び音声部によって出力すべく選択される撮像装置からの映像及び音声を、撮像装置が撮像及び集音する映像及び音声、又は撮像装置の記録部に記録させてある映像及び音声から選択できることにより、撮像装置がリアルタイムに取得する映像及び音声だけでなく、既に記録部に記録されている映像及び音声も映像部及び音声部によって出力させることが可能となる。
【発明の効果】
【００１７】
本発明によれば、放送波の受信部から映像及び音声を受信する受信装置が、第１装着部に撮像装置を、第２装着部に通信装置をそれぞれ直接的に装着されるように構成されており、それぞれの装着状態に応じて、撮像装置から取得する映像及び音声、通信装置が外部の装置から受信する映像及び音声、又は受信部が放送波から取得する映像及び音声の少なくとも１つを選択し、選択した映像及び音声を映像部及び音声部によって出力させることにより、例えば、通信装置が外部から受信した映像及び音声を映像部及び音声部にて出力させた場合に、テレビ電話システムのモニタ装置として利用することができる。
【００１８】
本発明によれば、通信装置が外部の装置から受信した映像及び音声を、受信装置が撮像装置へ転送し、転送された映像及び音声を撮像装置が記録部に録画及び録音させることにより、上述したように、例えばテレビ電話システムとして利用した場合に行なわれた会話の内容を記録することができ、後日にテレビ電話において行なわれた会話の内容を確認することができる。また、受信装置が受信部から取得した映像及び音声を撮像装置で録画及び録音することも可能であり、この場合、撮像装置を受信装置が取得する映像及び音声の録画装置として利用することができる。
【００１９】
本発明によれば、放送波の受信部から映像及び音声を受信する受信装置が、外部装置の装着を行なう装着部を有し、該装着部への直接的な装着が可能な撮像装置が、別の外部装置の装着を行なう装置装着部を有する。撮像装置は、装置装着部への通信装置の装着を検知し、また、受信装置の装着部へ直接的に装着された場合に、検知信号を受信装置へ送出する。受信装置は、装着部への撮像装置の装着、及び検知信号に基づいて撮像装置の装置装着部への通信装置の装着を検知し、それぞれの装着状態に応じて、撮像装置から取得する映像及び音声、通信装置が外部の装置から受信する映像及び音声、又は受信部が放送波から取得する映像及び音声の少なくとも１つを選択し、選択した映像及び音声を映像部及び音声部によって出力させることにより、例えば、通信装置が外部から受信した映像及び音声を映像部及び音声部にて出力させた場合に、テレビ電話システムのモニタ装置として利用することができる。
【００２０】
本発明によれば、通信装置が外部の装置から受信した映像及び音声を、撮像装置が記録部に記録させることにより、上述したように、例えばテレビ電話システムとして利用した場合に行なわれた会話の内容を記録することができ、後日にテレビ電話において行なわれた会話の内容を確認することができる。また、受信装置が受信部から取得した映像及び音声を撮像装置で録画及び録音することも可能であり、この場合、撮像装置を受信装置が取得する映像及び音声の録画装置として利用することができる。
【００２１】
本発明によれば、映像部及び音声部によって出力すべく選択される撮像装置からの映像及び音声を、撮像装置が撮像及び集音する映像及び音声、又は撮像装置の記録部に記録させてある映像及び音声から選択できることにより、撮像装置がリアルタイムに取得する映像及び音声だけでなく、既に記録部に記録されている映像及び音声も映像部及び音声部によって出力させることが可能となる。
【００２２】
また、撮像装置に映像部を設け、撮像装置が撮像及び集音する映像及び音声、通信装置が外部の装置から受信する映像及び音声、及び受信部が放送波から取得する映像及び音声のうちの２つを受信装置及び撮像装置のそれぞれの映像部によって表示させた場合には、２つの映像に合成処理等を行なわず、それぞれの映像を撮像装置と表示装置とにおいて見易く表示することができ、それぞれの装置に設けられ映像部を有効に利用することができる。
【発明を実施するための最良の形態】
【００２３】
以下に、本発明に係る受信装置システムをその実施の形態を示す図面に基づいて詳述する。
（実施の形態１）
図１は実施の形態１に係る受信装置システムの構成例を示す模式図である。本実施の形態に係る受信装置示システム１００は、撮像装置としてのデジタルカメラ１と、受信装置としての液晶表示テレビジョン装置（以下、液晶テレビという）２と、データ（映像及び音声）を外部の装置と送受信するための通信装置としての通信カード３とにより構成されている。
【００２４】
液晶テレビ２は、表示面の中央位置に配置される表示部（映像部）２５と、表示部２５の左右位置のそれぞれに配置されるスピーカ（音声部）２４，２４とを備えている。表示部２５は、複数の液晶素子を２次元マトリクス状に配列してなる液晶表示パネルにより構成されている。液晶テレビ２は、例えば図１に示すように右側のスピーカ２４の上位置の隅を切り欠いて凹部が形成されている。
【００２５】
凹部は、デジタルカメラ１の一部又は全部が収納できる形状に形成されており、デジタルカメラ１を直接的に装着できる装着部２ａを構成している。図１における装着部２ａは、デジタルカメラ１の半分以上が収納できる程度の大きさを有しており、これにより、デジタルカメラ１を安定して保持することが可能となる。また、装着部２ａは、図１において矢符Ａで示す方向にデジタルカメラ１を装着させた場合の当接面に、例えばＩＥＥＥ（Institute of Electrical and Electronic Engineers）１３９４に準拠したコネクタ２６を設けてある。
【００２６】
デジタルカメラ１は直方体状の筺体に形成されており、その筺体に１８０°回転が可能なチルト機構（回転機構）に構成されたカメラ部１６が設けてある。これにより、図１に示すように、デジタルカメラ１は、液晶表示パネルにより構成される表示部１５と、例えばＣＣＤを用いたカメラ部１６とを同一の側面上に配置させることができる。デジタルカメラ１は、表示部１５及びカメラ部１６の形成面が液晶テレビ２の表示面と同一方向となる向きで矢符Ａで示す方向に装着部２ａに装着されることにより、液晶テレビ２を見ているユーザは、同時にデジタルカメラ１の表示部１５に表示される映像も見ることができる。デジタルカメラ１は、液晶テレビ２の装着部２ａに直接的に装着された場合に液晶テレビ２のコネクタ２６に接続が可能な位置に同様のコネクタ１８（図１においては省略、図２参照）を設けており、これらのコネクタ２６，１８を介して液晶テレビ２とデジタルカメラ１との間でデータの送受信処理が可能である。
【００２７】
デジタルカメラ１は、コネクタ１８の形成面の反対側の面に装置装着部１ａを有している。通信カード３は、装置装着部１ａへの直接的な装着が可能に構成されており、矢符Ｂで示す方向に装置装着部１ａへ挿入して所定位置に装着することにより、本実施の形態の受信装置システム１００は、通信カード３を介して外部の装置との間でのデータの送受信処理が可能となる。
【００２８】
図２は実施の形態１に係る受信装置システム１００の構成例を示すブロック図である。液晶テレビ２は、スピーカ２４，２４、表示部２５及びコネクタ２６のほか、制御部２０、ＲＯＭ２１、ＲＡＭ２２、チューナ（受信部）２３等を備えており、夫々はバスを介して相互に接続されている。
【００２９】
制御部２０は、タイマ（図示せず）を有するＣＰＵ（Central Processing Unit ）又はＭＰＵ（Micro Processor Unit）等により構成されており、バスを介して接続される上述したようなハードウェア各部を制御すると共に、ＲＯＭ２１に予め格納されている制御プログラムを適宜ＲＡＭ２２に読み出して実行する。ＲＯＭ２１は、液晶テレビ２を本発明に係る受信装置として動作させるために必要な種々の制御プログラムを予め記憶している。ＲＡＭ２２は、ＳＲＡＭ又はフラッシュメモリ等で構成され、制御部２０による制御プログラムの実行時に発生するデータを一時的に記憶する。
【００３０】
チューナ２３は、例えばＵＨＦテレビジョン放送信号及びＶＨＦテレビジョン放送信号等の放送波を受信するチューナであり、ユーザにより選択された放送チャンネルに応じた放送波から映像及び音声を取得する。スピーカ２４は、チューナ２３を介して取得した音声及びコネクタ２６を介してデジタルカメラ１から取得した音声を必要に応じて音声出力する。表示部２５は、チューナ２３を介して取得した映像及びコネクタ２６を介してデジタルカメラ１から取得した映像を表示する。コネクタ２６は、チューナ２３を介して取得した映像及び音声をデジタルカメラ１へ送出し、また、デジタルカメラ１から転送された映像及び音声を取得する。
【００３１】
デジタルカメラ１は、表示部１５及びカメラ部１６のほか、制御部１０、ＲＯＭ１１、ＲＡＭ１２、信号処理部１３、記録媒体１４、マイク１７、コネクタ１８、通信カード３と接続するためのインタフェース１９等を備えており、夫々はバスを介して相互に接続されている。
【００３２】
制御部１０は、タイマ（図示せず）を有するＣＰＵ又はＭＰＵ等により構成されており、バスを介して接続される上述したようなハードウェア各部を制御すると共に、ＲＯＭ１１に予め格納されている制御プログラムを適宜ＲＡＭ１２に読み出して実行する。ＲＯＭ１１は、デジタルカメラ１を本発明に係る撮像装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００３３】
信号処理部１３は、カメラ部１６で撮像して得られた映像及びマイク１７で集音した音声に対してそれぞれ所定の信号処理を施した後、バスを介して記録媒体１４に記録させる。また、カメラ部１６がチルト機構に構成されているため、信号処理部１３は、カメラ部１６を１８０°回転させた場合に撮像した映像を上下反転させるための処理も必要に応じて実行する。なお、信号処理部１３が所定の信号処理を行なった映像及び音声を表示部１５及びスピーカ（図示せず）へ転送した場合には、表示部１５に映像を表示させると共にスピーカから音声を出力させることができる。記録媒体１４は、メモリカード、磁気媒体、光磁気媒体又は半導体メモリ等により構成されており、信号処理部１３から転送された映像及び音声を記録する記録部として動作する。
【００３４】
表示部１５は、デジタルカメラ１の動作状況、ユーザに通知すべき情報、カメラ部１６で撮像して信号処理部１３により所定の信号処理が実行された映像、記録媒体１４に予め記録させてある映像等の表示を行なう。なお、表示部１５をタッチパネル方式のものとすることにより、図示しない操作部の各種のキーのうちの一部又は全部を代用することも可能である。コネクタ１８は、信号処理部１３により所定の信号処理が実行された映像及び音声、記録媒体１４に記録させてある映像及び音声を液晶テレビ２へ送出し、また、液晶テレビ２から転送された映像及び音声を取得する。インタフェース１９は、デジタルカメラ１に設けられた装置装着部１ａの内部に、挿入された通信カード３に形成されたインタフェース３０と接続可能に形成された接続用のコネクタである。
【００３５】
通信カード３は、デジタルカメラ１と接続されるインタフェース３０、モデム部３１等を備えている。モデム部３１は電話回線網Ｌに接続されており、必要に応じて電話回線網Ｌを介して外部の装置との間でのデータ通信を可能としている。
【００３６】
上述した構成の受信装置システム１００におけるデジタルカメラ１において、制御部１０は、装置装着部１ａに装着されてインタフェース１９に通信カード３が接続されたか否かを検知する装置検知手段として動作する。また、制御部１０は、装置装着部１ａに装着されてインタフェース１９を介して通信カード３が接続され、更に、自身の装置が液晶テレビ２の装着部２ａに装着されてコネクタ１８を介して液晶テレビ２に接続された場合に、装置装着部１ａに通信カード３が装着されている旨を示す検知信号をコネクタ（第１送出手段）１８から液晶テレビ２へ送出する。
【００３７】
液晶テレビ２において、制御部２０は、装着部２ａに装着されてコネクタ２６にデジタルカメラ１が装着されたか否かを検知すると共に、コネクタ２６を介してデジタルカメラ１から送出される検知信号に基づいてデジタルカメラ１に通信カード３が装着されたか否かを検知する検知手段として動作する。このように、デジタルカメラ１及び通信カード３間、デジタルカメラ１及び液晶テレビ２間において、それぞれの接続を検知した場合に、それぞれの装置間におけるデータの伝送処理が可能となる。また、デジタルカメラ１の制御部１０は、液晶テレビ２に接続された場合、通信カード３を介して外部の装置から受信した映像及び音声をコネクタ（第２送出手段）１８から液晶テレビ２へ送出することが可能となる。
【００３８】
従って、液晶テレビ２は、上述したように、チューナ２３が取得する映像及び音声、デジタルカメラ１が撮像及び集音する映像及び音声、デジタルカメラ１の記録媒体１４に予め記録させてある映像及び音声、通信カード３が外部の装置から受信した映像及び音声をそれぞれ取得するように構成されている。一方、液晶テレビ２において、制御部２０は、例えば、ユーザによる操作部（図示せず）の操作に従って、これらの映像及び音声のうちの少なくとも１つを選択する選択手段として動作し、選択した映像及び音声をそれぞれ表示部２５及びスピーカ２４へ出力する出力手段として動作する。
【００３９】
これにより、例えば、通信カード３が電話回線網Ｌを介して外部の装置から受信した映像及び音声をデジタルカメラ１が液晶テレビ２へ転送し、液晶テレビ２の表示部２５及びスピーカ２４でそれぞれ出力させると共に、デジタルカメラ１が撮像及び集音した映像及び音声を通信カード３を介して外部の装置へ送信することにより、本実施の形態の受信装置システム１００をテレビ電話システムとして利用することができる。
【００４０】
また、デジタルカメラ１において、制御部１０は、上述したように通信カード３が外部の装置から受信した映像及び音声を記録媒体１４に記録させる記録制御手段として動作しており、テレビ電話システムとして外部の通信相手から受信した映像及び音声を記録することができる。更に、デジタルカメラ１が、外部から受信した映像及び音声と共に、自身のカメラ部１６及びマイク１７で取得した映像及び音声も記録媒体１４に記録した場合には、通信相手からのデータだけでなく、テレビ電話を介して送受信された両方のデータを記録しておくことができ、テレビ電話の会話内容を後日確認することが可能となる。
【００４１】
一方、本実施の形態の受信装置システム１００では、液晶テレビ２が、チューナ２３を介して取得した映像及び音声をコネクタ２６を介してデジタルカメラ１へ送出した場合に、デジタルカメラ１の記録媒体１４に記録させることができ、デジタルカメラ１を液晶テレビ２が取得する映像及び音声の録画装置として利用することもできる。
【００４２】
また、デジタルカメラ１が、上述したように液晶テレビ２から受信した映像及び音声と、自身のカメラ部１６及びマイク１７で取得した映像及び音声とを対応させて記録媒体１４に記録させることにより、液晶テレビ２が取得するテレビ番組と共に、該テレビ番組の放送時間においてデジタルカメラ１が取得した映像及び音声を記録することができる。更に、デジタルカメラ１は、このように録画したテレビ番組及び／又は自身の装置で取得した映像及び音声を通信カード３を介して外部の装置へ送信することが可能であり、外部の装置でそれぞれのデータを記録及び再生することもできる。
【００４３】
以下に、上述した構成の受信装置システム１００において、デジタルカメラ１、液晶テレビ２及び通信カード３がそれぞれ行なう処理について説明する。図３及び図４は実施の形態１に係る受信装置システム１００における各機器の処理手順を示すフローチャートである。なお、以下の処理は、デジタルカメラ１及び液晶テレビ２において、ＲＯＭ１１，２１にそれぞれ格納されている制御プログラムに従って制御部１１，２１により実行される。また、通信カード３はデジタルカメラ１に、デジタルカメラ１は液晶テレビ２に既に装着されているものとする。
【００４４】
本実施の形態の受信装置システム１００において、ユーザは、液晶テレビ２及び／又はデジタルカメラ１の図示しない操作部を操作し、受信装置システム１００を、テレビ電話システムとしての利用形態、液晶テレビ２が受信する映像及び音声を液晶テレビ２及び／又はデジタルカメラ１で出力する利用形態、デジタルカメラ１に予め記録させてある映像及び音声を液晶テレビ２及び／又はデジタルカメラ１で出力する利用形態、又は液晶テレビ２が受信する映像及び音声をデジタルカメラ１で録画する利用形態等で利用することができる。
【００４５】
受信装置システム１００において、デジタルカメラ１の制御部１０及び液晶テレビ２の制御部２０は、ユーザによる操作部の操作によりテレビ電話システムとしての処理の実行が指示されたか否かを判断しており（Ｓ１）、テレビ電話システムとしての処理の実行が指示されたと判断した場合（Ｓ１：ＹＥＳ）、デジタルカメラ１のインタフェース１９に接続された通信カード３を介して電話回線網Ｌに接続された所望の装置への電話回線を接続する（Ｓ２）。またデジタルカメラ１は、カメラ部１６及びマイク１７によって撮像及び集音して映像及び音声を取得し、取得した映像及び音声を電話回線網Ｌを介して接続された所望の装置へ送信する（Ｓ３）。
【００４６】
一方、デジタルカメラ１は、通信カード３を介して電話回線網Ｌに接続された所望の装置から映像及び音声を受信し（Ｓ４）、受信した映像及び音声をコネクタ１８から液晶テレビ２へ送信する（Ｓ５）。液晶テレビ２は、デジタルカメラ１から受信した映像及び音声をそれぞれ表示部２５及びスピーカ２４により出力させる（Ｓ６）。なお、テレビ電話システムとして利用した場合に行なわれる会話の記録処理の実行が指示されている場合には、デジタルカメラ１の制御部１０は、ステップＳ３でカメラ部１６及びマイク１７によって取得した映像及び音声と、ステップＳ４で通信カード３から受信した映像及び音声とを記録媒体１４に記録させることもできる。
【００４７】
また、デジタルカメラ１の制御部１０及び液晶テレビ２の制御部２０は、ユーザによる操作部の操作によって、テレビ電話システムの終了が指示されたか否かを判断しており（Ｓ７）、テレビ電話システムの終了が指示されていない場合（Ｓ７：ＮＯ）、ステップＳ３の処理に戻り、ステップＳ３からＳ６までの処理を繰り返す。また、制御部１０は、ステップＳ２で接続された電話回線が切断されてテレビ電話システムの終了が指示されたと判断した場合（Ｓ７：ＹＥＳ）、受信装置システム１００を構成する各機器の操作を終了する。
【００４８】
一方、ステップＳ１で、テレビ電話システムとしての処理の実行が指示されていないと判断した場合（Ｓ１：ＮＯ）、デジタルカメラ１の制御部１０及び液晶テレビ２の制御部２０は、ユーザによる操作部の操作に基づいて、液晶テレビ２で出力すべき映像及び音声に対応する放送チャンネルが選択されたか否かを判断する（Ｓ８）。制御部２０（又は制御部１０）は、液晶テレビ２で出力すべき放送チャンネルが選択されたと判断した場合（Ｓ８：ＹＥＳ）、選択された放送チャンネルに応じた映像及び音声をチューナ２３で取得し（Ｓ９）、取得した映像及び音声をそれぞれ表示部２５及びスピーカ２４で出力させる（Ｓ１０）。
【００４９】
また、制御部２０（又は制御部１０）は、液晶テレビ２で出力すべき放送チャンネルが選択されていないと判断した場合（Ｓ８：ＮＯ）、デジタルカメラ１の記録媒体１４に記録してある映像及び音声から液晶テレビ２で出力させたい映像及び音声が選択されたか否かを判断する（Ｓ１１）。制御部２０（又は制御部１０）が、デジタルカメラ１に記録してある映像及び音声から液晶テレビ２で出力させたい映像及び音声が選択されたと判断した場合（Ｓ１１：ＹＥＳ）、デジタルカメラ１の制御部１０は、選択された映像及び音声を記録媒体１４から読み出してコネクタ１８から液晶テレビ２へ送出する（Ｓ１２）。液晶テレビ２の制御部２０は、デジタルカメラ１から取得した映像及び音声を表示部２５及びスピーカ２４でそれぞれ出力させる（Ｓ１３）。
【００５０】
制御部２０（又は制御部１０）は、デジタルカメラ１に記録してある映像及び音声から液晶テレビ２で出力させたい映像及び音声が選択されていないと判断した場合（Ｓ１１：ＮＯ）、ユーザによる操作部の操作に基づいて、デジタルカメラ１で出力すべき映像及び音声に対応する放送チャンネルが選択されたか否かを判断する（Ｓ１４）。制御部２０（又は制御部１０）は、デジタルカメラ１で出力すべき放送チャンネルが選択されたと判断した場合（Ｓ１４：ＹＥＳ）、選択された放送チャンネルに応じた映像及び音声をチューナ２３で取得し、取得した映像及び音声をコネクタ２６からデジタルカメラ１へ送出する（Ｓ１５）。
【００５１】
デジタルカメラ１の制御部１０は、液晶テレビ２から取得した映像及び音声を表示部１５及びスピーカ（図示せず）でそれぞれ出力させる（Ｓ１６）。また、制御部２０（又は制御部１０）は、デジタルカメラ１で出力すべき放送チャンネルが選択されていないと判断した場合（Ｓ１４：ＮＯ）、デジタルカメラ１の記録媒体１４に記録してある映像及び音声から、デジタルカメラ１で出力させたい映像及び音声が選択されたか否かを判断する（Ｓ１７）。制御部２０（又は制御部１０）が、デジタルカメラ１に記録してある映像及び音声からデジタルカメラ１で出力させたい映像及び音声が選択されたと判断した場合（Ｓ１７：ＹＥＳ）、デジタルカメラ１の制御部１０は、選択された映像及び音声を記録媒体１４から読み出し（Ｓ１８）、読み出した映像及び音声を表示部１５及びスピーカでそれぞれ出力させる（Ｓ１９）。
【００５２】
更に、制御部２０（又は制御部１０）は、ユーザによる操作部の操作に基づいて、デジタルカメラ１で記録させたい放送番組に対応した放送チャンネルが選択されたか否かを判断しており（Ｓ２０）、デジタルカメラ１に記録させる放送チャンネルが選択されたと判断した場合（Ｓ２０：ＹＥＳ）、選択された放送チャンネルに応じた映像及び音声をチューナ２３で取得し、取得した映像及び音声をコネクタ２６からデジタルカメラ１へ送出する（Ｓ２１）。デジタルカメラ１の制御部１０は、コネクタ１８を介して液晶テレビ２から取得した映像及び音声を順次記録媒体１４に記録させる（Ｓ２２）。
【００５３】
制御部２０（又は制御部１０）は、デジタルカメラ１で記録させたい放送チャンネルが選択されていないと判断した場合（Ｓ２０：ＮＯ）、ユーザによる操作部の操作によって、上述したような液晶テレビ２での映像及び音声の出力処理、デジタルカメラ１での映像及び音声の出力処理、及びデジタルカメラ１での映像及び音声の記録処理のいずれかの終了が指示されたか否かを判断しており（Ｓ２３）、いずれかの処理の終了が指示されたと判断した場合（Ｓ２３：ＹＥＳ）、終了が指示された処理を終了する（Ｓ２４）。
【００５４】
また、制御部２０（又は制御部１０）は、現在実行中の全ての処理の終了が指示されたか否かを判断しており（Ｓ２５）、全ての処理の終了が指示されたと判断した場合（Ｓ２５：ＹＥＳ）、上述した各処理を終了する。なお、現在実行中の全ての処理の終了が指示されていないと判断した場合（Ｓ２５：ＮＯ）、又はステップＳ２３でいずれの処理の終了も指示されていないと判断した場合（Ｓ２３：ＮＯ）、制御部２０（又は制御部１０）は、ステップＳ８の処理に戻り、ステップＳ８からＳ２２までの処理を繰り返す。
【００５５】
上述したように、電話回線網Ｌを介して受信した映像及び音声を液晶テレビ２の表示部２５及びスピーカ２４で表示及び音声出力させ、デジタルカメラ１のカメラ部１６及びマイク１７で取得した映像及び音声を電話回線網Ｌを介して外部の装置へ送信することにより、受信装置システム１００をテレビ電話システムとして利用することができる。また、電話回線網Ｌを介して外部から受信した映像を液晶テレビ２の表示部２５に表示させ、デジタルカメラ１のカメラ部１６で撮像した映像をデジタルカメラ１の表示部１５にそれぞれ表示させることにより、通信相手から受信した映像と、自身のデジタルカメラ１で撮像した映像とにおける表示画面に欠如領域が生じないため、それぞれ見易い表示画面を表示させることができる。
【００５６】
また、液晶テレビ２のチューナ２３が取得する映像及び音声は、液晶テレビ２及びデジタルカメラ１で出力させることが可能であり、液晶テレビ２がチューナ２３を複数備えた場合には、液晶テレビ２の表示部２５及びスピーカ２４と、デジタルカメラ１の表示部１５及びスピーカ（図示せず）とでそれぞれ異なる放送番組を出力させることができる。なお、放送番組によっては映像に、小さい画面で表示される小画像が含まれている場合があり、チューナ２３が取得した映像に所定の処理を行なうことによって、小画像の映像を抽出し、抽出した映像をデジタルカメラ１の表示部１５で表示させることもできる。更に、デジタルカメラ１が、液晶テレビ２から取得する映像及び音声を記録媒体１４に記録させた場合には、デジタルカメラ１を、液晶テレビ２が放送波から取得するテレビ番組を録画する録画装置として利用することができる。
【００５７】
上述した実施の形態の受信装置システム１００は、液晶テレビ２を備えた構成について説明しているが、受信装置としては液晶テレビ２に限られず、ＣＲＴディスプレイを備えたテレビジョン装置であってもよく、また、テレビジョン装置にも限られず、表示部及びスピーカの外付けが可能であり、チューナを介して映像及び音声を受信するように構成されたディスプレイ装置であってもよい。
【００５８】
上述した実施の形態では、受信装置システム１００をテレビ電話システム及び液晶テレビ２における録画システムとして利用する構成について説明したが、テレビ電話システムと同様に英会話学習システム及びテレビショッピング等にも利用することができる。また、英会話学習システムとして利用した場合には、通信相手と送受信した映像（画像データ及び音声データ）の録画が可能となり、後日の復習に利用することができる。更に、テレビショッピングに利用した場合には、提供された商品情報と共に同時刻にデジタルカメラ１で取得した映像の録画が可能となる。
【００５９】
（実施の形態２）
以下に、実施の形態２における受信装置システムについて詳述する。なお、上述した実施の形態１の受信装置システム１００と同様の構成については同一の符号を付して説明を省略する。図５は実施の形態２に係る受信装置システムの構成例を示す模式図である。本実施の形態に係る受信装置システム１０１において、液晶テレビ２は、デジタルカメラ１を装着させる第１装着部２ａのほか、筺体の側面の下部に第２装着部２ｂを有している。また、本実施の形態における通信カード３は、液晶テレビ２の第２装着部２ｂへの直接的な装着が可能に構成されており、矢符Ｃで示す方向に第２装着部２ｂへ挿入して所定位置に装着することにより、本システム１０１は、通信カード３を介して外部の装置との間でのデータの送受信処理が可能となる。なお、本実施の形態では、通信カード３の第２装着部２ｂを液晶テレビ２の側面に設けているため、実施の形態１で示したようにデジタルカメラ１には装置装着部１ａ（図１参照）を設けない構造となっている。
【００６０】
図６は実施の形態２に係る受信装置システム１０１の構成例を示すブロック図である。本実施の形態の液晶テレビ２は、図２で示す実施の形態１における液晶テレビ２と同様に、制御部２０、ＲＯＭ２１、ＲＡＭ２２、チューナ２３、スピーカ２４、表示部２５及びコネクタ２６を備えており、更に、通信カード３と接続するためのインタフェース２７及び信号処理部２８等を備えている。これらのハードウェア各部はそれぞれバスを介して相互に接続されている。
【００６１】
信号処理部２８は、チューナ２３を介して取得した映像及び音声、インタフェース２７に接続される通信カード３を介して外部の装置から受信した映像及び音声に対してそれぞれ所定の信号処理を実行する。また、信号処理部２８は、所定の信号処理を実行した映像及び音声を表示部２５及びスピーカ２４へ入力し、それぞれ画像表示及び音声出力を行なう。なお、信号処理部２８により所定の信号処理が実行された映像及び音声をコネクタ２６を介してデジタルカメラ１へ送信することもできる。インタフェース２７は、液晶テレビ２に設けられた第２装着部２ｂの内部に、挿入された通信カード３に形成されたインタフェース３０と接続可能に形成された接続用のコネクタである。
【００６２】
デジタルカメラ１は、実施の形態１で示したデジタルカメラ１と同様の構成であるが、通信カード３と接続するためのインタフェース１９を備えない構成をなしている。また、通信カード３は、液晶テレビ２との通信が可能なインタフェース３０、電話回線網Ｌに接続されたモデム部３１等を備えており、必要に応じてモデム部３１を介して電話回線網Ｌに接続してある外部の装置との間でのデータ通信を可能としている。
【００６３】
上述した構成の受信装置システム１０１における液晶テレビ２において、制御部２０は、第１装着部２ａに装着されてコネクタ２６を介してデジタルカメラ１が接続されたか否かと共に、第２装着部２ｂに装着されたインタフェース２７を介して通信カード３が接続されたか否かを検知する検知手段として動作する。このように、デジタルカメラ１及び液晶テレビ２間、液晶テレビ２及び通信カード３間において、制御部１０がそれぞれの接続を検知した場合に、それぞれの装置間におけるデータの伝送処理が可能となる。
【００６４】
従って、液晶テレビ２は、チューナ２３が取得する映像及び音声、デジタルカメラ１が撮像及び集音する映像及び音声、デジタルカメラ１の記録媒体１４に予め記録させてある映像及び音声、通信カード３が外部の装置から受信する映像及び音声をそれぞれ取得するように構成されている。一方、液晶テレビ２において、制御部２０は、例えば、ユーザによる操作部（図示せず）の操作に従って、これらの映像及び音声のうちの少なくとも１つを選択する選択手段として動作し、選択した映像及び音声をそれぞれ表示部２５及びスピーカ２４へ出力する出力手段として動作する。
【００６５】
また、制御部２０は、デジタルカメラ１及び通信カード３がそれぞれ第１装着部２ａ及び第２装着部２ｂに装着されたことを検知した場合に、通信カード３が電話回線網Ｌを介して外部の装置から受信した映像及び音声を、コネクタ（送出手段）２６からデジタルカメラ１へ送出する。デジタルカメラ１において、制御部１０は、上述したように通信カード３が外部の装置から受信し、液晶テレビ２から取得した映像及び音声を記録媒体１４に記録させる記録制御手段として動作する。
【００６６】
従って、外部の装置から受信した映像及び音声を液晶テレビ２の表示部２５及びスピーカ２４でそれぞれ出力させると共に、デジタルカメラ１が撮像及び集音した映像及び音声を通信カード３を介して外部の装置へ送信することにより、本実施の形態の受信装置システム１０１をテレビ電話システムとして利用することができる。また、テレビ電話システムとして外部の通信相手から受信した映像及び音声をデジタルカメラ１で記録することができる。更に、デジタルカメラ１が、外部から受信した映像及び音声と共に、自身のカメラ部１６及びマイク１７で取得した映像及び音声も記録媒体１４に記録した場合には、通信相手からのデータだけでなく、テレビ電話を介して送受信された両方のデータを記録しておくことができ、テレビ電話の会話内容を後日確認することが可能となる。
【００６７】
本実施の形態の受信装置システム１０１においても、液晶テレビ２が、チューナ２３で取得した映像及び音声をコネクタ２６を介してデジタルカメラ１へ送出した場合に、デジタルカメラ１の記録媒体１４に記録させることができ、デジタルカメラ１を液晶テレビ２が取得する映像及び音声の録画装置として利用することもできる。また、デジタルカメラ１が、上述したように液晶テレビ２から受信した映像及び音声と、自身のカメラ部１６及びマイク１７で取得した映像及び音声とを対応させて記録媒体１４に記録させることにより、液晶テレビ２が取得するテレビ番組と共に、該テレビ番組の放送時間においてデジタルカメラ１が取得した映像及び音声を記録することができる。
【００６８】
更に、デジタルカメラ１は、上述したように録画したテレビ番組及び／又は自身の装置で取得した映像及び音声を、液晶テレビ２を介して通信カード３から電話回線網Ｌを介して外部の装置へ送信することが可能であり、外部の装置においてそれぞれのデータを記録及び再生することもできる。
【００６９】
以下に、上述した構成の受信装置システム１０１において、デジタルカメラ１、液晶テレビ２及び通信カード３がそれぞれ行なう処理について説明する。なお、以下の処理は、デジタルカメラ１及び液晶テレビ２において、ＲＯＭ１１，２１にそれぞれ格納されている制御プログラムに従って制御部１１，２１により実行される。また、本実施の形態における受信装置システム１０１において、液晶テレビ２が受信する映像及び音声を液晶テレビ２及び／又はデジタルカメラ１で出力させる利用形態、デジタルカメラ１に予め記録させてある映像及び音声を液晶テレビ２及び／又はデジタルカメラ１で出力する利用形態、及び液晶テレビ２が受信する映像及び音声をデジタルカメラ１で録画する利用形態等において各機器が行なう動作は、実施の形態１に係る受信装置システム１００における各機器と同様であるため説明を省略する。
【００７０】
図７は実施の形態２に係る受信装置システム１００における各機器の処理手順を示すフローチャートである。なお、以下の説明では、ユーザによる操作部の操作に従って、受信装置システム１０１をテレビ電話システムとして利用する場合に各機器が行なう動作について説明する。受信装置システム１０１において、デジタルカメラ１の制御部１０及び液晶テレビ２の制御部２０は、ユーザによる操作部の操作によりテレビ電話システムとしての処理の実行が指示された場合、液晶テレビ２のインタフェース２７に接続された通信カード３を介して電話回線網Ｌに接続された所望の装置への電話回線を接続する（Ｓ３１）。
【００７１】
デジタルカメラ１は、カメラ部１６及びマイク１７によって撮像及び集音して映像及び音声を取得し、取得した映像及び音声をコネクタ１８から液晶テレビ２へ送出する（Ｓ３２）。液晶テレビ２の制御部２０は、デジタルカメラ１から取得した映像及び音声をインタフェース２７に接続された通信カード３を介して電話回線網Ｌに接続された外部の所望の装置へ送信する（Ｓ３３）。また、液晶テレビ２は、通信カード３及び電話回線網Ｌを介して外部の所望の装置から映像及び音声を受信し（Ｓ３４）、受信した映像及び音声を表示部２５及びスピーカ２４によりそれぞれ出力させる（Ｓ３５）。なお、テレビ電話システムとして利用した場合に行なわれる会話の記録処理の実行が指示されている場合には、デジタルカメラ１の制御部１０は、テップＳ３４で液晶テレビ２が通信カード３を介して受信した映像及び音声をコネクタ１８から取得し、この映像及び音声と、ステップＳ３２でカメラ部１６及びマイク１７によって取得した映像及び音声とを記録媒体１４に記録させることもできる。
【００７２】
また、デジタルカメラ１の制御部１０及び液晶テレビ２の制御部２０は、ユーザによる操作部の操作によって、テレビ電話システムの終了が指示されたか否かを判断しており（Ｓ３６）、テレビ電話システムの終了が指示されていない場合（Ｓ３６：ＮＯ）、ステップＳ３２の処理に戻り、ステップＳ３２からＳ３５までの処理を繰り返す。また、制御部１０は、ステップＳ３１で接続された電話回線が切断されてテレビ電話システムの終了が指示されたと判断した場合（Ｓ３６：ＹＥＳ）、受信装置システム１０１を構成する各機器の操作を終了する。
【００７３】
上述したように、電話回線網Ｌを介して受信した映像及び音声を液晶テレビ２の表示部２５及びスピーカ２４で表示及び音声出力させ、デジタルカメラ１のカメラ部１６及びマイク１７で取得した映像及び音声を電話回線網Ｌを介して外部の装置へ送信することにより、受信装置システム１０１をテレビ電話システムとして利用することができる。また、電話回線網Ｌを介して外部から受信した映像を液晶テレビ２の表示部２５に表示させ、デジタルカメラ１のカメラ部１６で撮像した映像をデジタルカメラ１の表示部１５にそれぞれ表示させることにより、通信相手から受信した映像と、自身のデジタルカメラ１で撮像した映像とにおける表示画面に欠如領域が生じないため、それぞれ見易い表示画面を表示させることができる。なお、実施の形態２における受信装置システム１０１においても、上述した実施の形態１で説明した変形例と同様の変形例の適用が可能である。
【図面の簡単な説明】
【００７４】
【図１】実施の形態１に係る受信装置システムの構成例を示す模式図である。
【図２】実施の形態１に係る受信装置システムの構成例を示すブロック図である。
【図３】実施の形態１に係る受信装置システムにおける各機器の処理手順を示すフローチャートである。
【図４】実施の形態１に係る受信装置システムにおける各機器の処理手順を示すフローチャートである。
【図５】実施の形態２に係る受信装置システムの構成例を示す模式図である。
【図６】実施の形態２に係る受信装置システムの構成例を示すブロック図である。
【図７】実施の形態２に係る受信装置システムにおける各機器の処理手順を示すフローチャートである。
【符号の説明】
【００７５】
１００，１０１  受信装置システム
１  デジタルカメラ（撮像装置）
１ａ  装置装着部
１０  制御部（装置検知手段、記録制御手段）
１４  記録媒体（記録部）
１５  表示部
１６  カメラ部
１７  マイク
１８  コネクタ（第１送出手段、第２送出手段）
２  液晶テレビ（受信装置）
２ａ  装着部、第１装着部
２ｂ  第２装着部
２０  制御部（検知手段、選択手段、出力手段）
２３  チューナ（受信部）
２４  スピーカ（音声部）
２５  表示部（映像部）
２６  コネクタ（送出手段）
３  通信カード（通信装置）
【図１】
2005236898.tif 000003
【図２】
2005236898.tif 000004
【図３】
2005236898.tif 000005
【図４】
2005236898.tif 000006
【図５】
2005236898.tif 000007
【図６】
2005236898.tif 000008
【図７】
2005236898.tif 000009